【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
主要なポリマー組成物；
1種またはそれ以上のヒドロフルオロオレフィン、及びヒドロフルオロカーボンから選択される1種またはそれ以上の補助発泡剤、及び二酸化炭素を含む発泡剤組成物；並びに
スチレン-アクリロニトリルコポリマー(SAN)及びスチレン-メチルメタクリレートコポリマーからなる群から選択されるキャリヤポリマー組成物中に配合された少なくとも1種の赤外減衰剤；を含む発泡性ポリマー混合物。
【請求項２】
前記少なくとも1種の赤外減衰剤がグラファイトを含む、請求項1記載の発泡性ポリマー混合物。
【請求項３】
前記少なくとも1種の赤外減衰剤が、前記発泡剤組成物を除く前記発泡性ポリマー混合物の全質量を基準として、0.5％〜5質量％を構成する、請求項1記載の発泡性ポリマー混合物。
【請求項４】
前記主要なポリマー組成物がポリスチレンを含む、請求項1記載の発泡性ポリマー混合物。
【請求項５】
押出ポリマーフォームを製造する方法であって、該方法が以下の工程：
主要なポリマー組成物を、スクリュー押出機に導入して、ポリマーメルトを形成する工程；
1種またはそれ以上のヒドロフルオロオレフィン、及びヒドロフルオロカーボンから選択される1種またはそれ以上の補助発泡剤、及び二酸化炭素を含む発泡剤組成物を該ポリマーメルトに注入して、発泡性ポリマー物質を形成する工程；および
少なくとも1種の赤外減衰剤を該ポリマーメルトに導入する工程、そこにおいて該少なくとも1種の赤外減衰剤はキャリヤポリマー組成物中に配合されており、該キャリヤポリマー組成物はスチレン-アクリロニトリルコポリマー(SAN)及びスチレン-メチルメタクリレートコポリマーからなる群から選択される、
を含み、該押出ポリマーフォームが5％未満の連続気泡含有率を示す、前記方法。
【請求項６】
前記少なくとも1種の赤外減衰剤がグラファイトを含む、請求項5記載の押出ポリマーフォームを製造する方法。
【請求項７】
前記少なくとも1種の赤外減衰剤が、前記発泡剤組成物を除く前記ポリマーメルトの全質量を基準として0.5％〜5質量％を構成する、請求項5記載の押出ポリマーフォームを製造する方法。
【請求項８】
前記主要なポリマー組成物がポリスチレンを含む、請求項5記載の押出ポリマーフォームを製造する方法。
【請求項９】
発泡性ポリマー物質から調製された押出ポリマーフォームであって、
該発泡性ポリマー物質が、
主要なポリマー組成物；
1種またはそれ以上のヒドロフルオロオレフィン、及びヒドロフルオロカーボンから選択される1種またはそれ以上の補助発泡剤、及び二酸化炭素を含有する発泡剤組成物；並びに
スチレン-アクリロニトリルコポリマー(SAN)及びスチレン-メチルメタクリレートコポリマーからなる群から選択されるキャリヤポリマー組成物中に配合されたグラファイト赤外減衰剤；を含み、
該押出ポリマーフォームが5％未満の連続気泡含有率を示す、前記押出ポリマーフォーム。
【請求項１０】
前記主要なポリマー組成物がポリスチレンを含む、請求項9記載の押出ポリマーフォーム。
【請求項１１】
前記グラファイト赤外減衰剤が、前記発泡剤組成物を除く前記発泡性ポリマー物質の全質量を基準として、0.5％〜5質量％を構成する、請求項9記載の押出ポリマーフォーム。
【請求項１２】
押出ポリマーフォームが発泡断熱製品である、請求項9記載の押出ポリマーフォーム。
【請求項１３】
前記発泡断熱製品が、4〜7という、2.54cm(1インチ)当たりのR値を有する、請求項12記載の押出ポリマーフォーム。
【請求項１４】
前記発泡断熱製品が、約41kPa(6psi)〜約827kPa(120psi)の圧縮強さを有する、請求項12記載の押出ポリマーフォーム。
【手続補正２】
【補正対象書類名】明細書
【補正対象項目名】００３４
【補正方法】変更
【補正の内容】
【００３４】
ここにおいて特段の指示がない限り、全ての下位の態様および随意の態様は、本明細書に記載された全ての態様に対する夫々の下位態様および随意の態様である。本件特許出願を、その態様の説明により解説し、また該態様を、かなり詳しく説明してきたが、このことは、本出願人が、このような詳細な記述に、添付された請求項の範囲を制限または如何様にも限定することを意図するものではない。追加の利点および改良は、当業者には容易に明らかとなるであろう。従って、本特許出願は、そのより広い局面において、特定の細部、典型的な方法、および明らかにされかつ説明された実例となる実施例に限定されるものではない。従って、本明細書における本出願人の一般的な開示の精神および範囲を逸脱することなしに、このような詳細から新展開を成すことができる。
本発明のまた別の態様は、以下のとおりであってもよい。
〔１〕主要なポリマー組成物；
発泡剤組成物；および
キャリヤポリマー組成物中に配合された少なくとも1種の赤外減衰剤、
を含む発泡性ポリマー混合物。
〔２〕前記少なくとも1種の赤外減衰剤がグラファイトを含む、前記〔1〕記載の発泡性ポリマー混合物。
〔３〕前記キャリヤポリマー組成物が、スチレン-アクリロニトリルコポリマー(SAN)、ポリ(メチルメタクリレート)(PMMA)、ポリエチレンメタクリレート(PEMA)およびスチレン-メチルメタクリレートコポリマーから選択される、前記〔1〕記載の発泡性ポリマー混合物。
〔４〕前記少なくとも1種の赤外減衰剤が、前記発泡剤組成物を除く前記混合物の全質量を基準として、0.5％〜5質量％を構成する、前記〔1〕記載の発泡性ポリマー混合物。
〔５〕前記発泡剤組成物が二酸化炭素を含む、前記〔1〕記載の発泡性ポリマー混合物。
〔６〕前記主要なポリマー組成物がポリスチレンを含む、前記〔1〕記載の発泡性ポリマー混合物。
〔７〕押出ポリマーフォームを製造する方法であって、該方法が以下の工程：
主要なポリマー組成物を、スクリュー押出機に導入して、ポリマーメルトを形成する工程；
発泡剤組成物を該ポリマーメルトに注入して、発泡性ポリマー物質を形成する工程；および
少なくとも1種の赤外減衰剤を該ポリマーメルトに導入する工程、そこにおいて該少なくとも1種の赤外減衰剤は、キャリヤポリマー組成物中に配合されている、
を含み、該押出ポリマーフォームが5％未満の連続気泡含有率を示す、前記方法。
〔８〕前記少なくとも1種の赤外減衰剤がグラファイトを含む、前記〔7〕記載の方法。
〔９〕前記キャリヤポリマー組成物が、スチレン-アクリロニトリルコポリマー(SAN)、ポリ(メチルメタクリレート)(PMMA)、ポリエチレンメタクリレート(PEMA)、およびスチレン-メチルメタクリレートコポリマーから選択される、前記〔7〕記載の方法。
〔１０〕前記発泡剤組成物が二酸化炭素を含む、前記〔7〕記載の方法。
〔１１〕前記少なくとも1種の赤外減衰剤が、前記発泡剤組成物を除く前記ポリマーメルトの全質量を基準として0.5％〜5質量％を構成する、前記〔7〕記載の方法。
〔１２〕前記主要なポリマー組成物がポリスチレンを含む、前記〔7〕記載の方法。
〔１３〕押出ポリマーフォームであって、
発泡性ポリマー物質を含み、該物質が、
主要なポリマー組成物；
二酸化炭素を含有する発泡剤組成物；および
キャリヤポリマー組成物中に配合されたグラファイト赤外減衰剤、
を含み、該押出ポリマーフォームが5％未満の連続気泡含有率を示す、前記押出ポリマーフォーム。
〔１４〕前記キャリヤポリマー組成物が、スチレン-アクリロニトリルコポリマー(SAN)、ポリ(メチルメタクリレート)(PMMA)、ポリエチレンメタクリレート(PEMA)、およびスチレン-メチルメタクリレートコポリマーから選択される、前記〔13〕記載の押出ポリマーフォーム。
〔１５〕前記主要なポリマー組成物がポリスチレンを含む、前記〔13〕記載の押出ポリマーフォーム。